【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
未処理の塩水（ＲＷ）を使用することによって塩化水素（ＨＣｌ）またはその水溶液を製造する方法であって、
ａ）塩化物イオン（Ｃｌ−）を含む第１電解液（Ｅ１）を提供するステップと、
ｂ）電気透析を実施するステップであって、
前記第１電解液（Ｅ１）が、結果としてカソード液（Ｋ）を生成するカソード還元に付され、
前記第１電解液（Ｅ１）の塩化物イオン（Ｃｌ−）濃度が低下し、
前記第１電解液（Ｅ１）の水酸化物イオン（ＯＨ−）濃度が上昇し、かつ
塩化水素（ＨＣｌ）またはその水溶液の形態で生成物（Ｐ）が生成する、ステップと、ｃ）前記カソード液（Ｋ）の少なくとも一部を処理するステップであって、
その結果として前記第１電解液（Ｅ１）が生成し、
未処理の塩水（ＲＷ）が使用され、
前記カソード液（Ｋ）の塩化物イオン（Ｃｌ−）濃度が上昇し、かつ
前記カソード液（Ｋ）の水酸化物イオン（ＯＨ−）濃度が低下する、ステップと、
ｄ）ステップ（ｃ）に従い処理された前記カソード液（Ｋ）の少なくとも一部を前記第１電解液（Ｅ１）としてステップ（ｂ）で再使用するステップと
を含む、方法。
【請求項２】
前記未処理の塩水（ＲＷ）が、天然または合成の塩水であることを特徴とする、請求項１に記載の方法。
【請求項３】
前記未処理の塩水（ＲＷ）の塩類濃度が、０．４〜２５重量％の範囲にあることを特徴とする、請求項１または２に記載の方法。
【請求項４】
ステップ（ａ）において、前記第１電解液（Ｅ１）が、前記未処理の塩水（ＲＷ）から製造されることを特徴とする、請求項１〜３のいずれか一項に記載の方法。
【請求項５】
ステップ（ｃ）に従う前記カソード液（Ｋ）または前記第１電解液（Ｅ１）またはこれらの両方の処理が、回分式または連続式で実施されることを特徴とする、請求項１〜４のいずれか一項に記載の方法。
【請求項６】
前記電気透析が、電気透析セル（２）内で実施され、
前記電気透析セル（２）が、３室、すなわちカソード（２２）を収容するカソード空間（１２）、中間室の形態で実装された生成物空間（１４）、およびアノード（２４）を収容するアノード空間（１６）を備えることを特徴とする、請求項１〜５のいずれか一項に記載の方法。
【請求項７】
前記第１電解液（Ｅ１）または前記カソード液（Ｋ）またはこれらの両方が、少なくともステップ（ｂ）の最中に、電気透析セル（２）のカソード空間（１２）を通って前記カソード液（Ｋ）または第１電解液（Ｅ１）またはこれらの両方のための貯留槽（４）を経由して循環することを特徴とする、請求項１〜６のいずれか一項に記載の方法。
【請求項８】
前記第１電解液（Ｅ１）または前記カソード液（Ｋ）またはこれらの両方が、ステップ（ａ）〜（ｄ）の少なくとも１つの最中に、温度調節されることを特徴とする、請求項１〜７のいずれか一項に記載の方法。
【請求項９】
前記第１電解液（Ｅ１）または前記カソード液（Ｋ）またはこれらの両方が、ステップ（ａ）〜（ｄ）の少なくとも１つの最中に、気体を発生することを特徴とする、請求項１〜８のいずれか一項に記載の方法。
【請求項１０】
前記第１電解液（Ｅ１）の塩化物イオン（Ｃｌ−）濃度および前記カソード液（Ｋ）の塩化物イオン（Ｃｌ−）濃度の少なくとも一方が、ステップ（ａ）における前記第１電解液（Ｅ１）の塩化物イオン（Ｃｌ−）濃度の３０〜７０％の範囲の濃度になったら直ちにステップ（ｃ）が実施されることを特徴とする、請求項１〜９のいずれか一項に記載の方法。
【請求項１１】
ステップ（ｂ）の最中に、セル電圧が４〜９Ｖの範囲にあること、および、セル電流密度が５００〜３，０００Ａ／ｍ２の範囲にあること、の少なくとも一方であることを特徴とする、請求項１〜１０のいずれか一項に記載の方法。
【請求項１２】
さらに、
ｅ）ステップ（ｂ）の最中に、第２電解液（Ｅ２）またはアノード液（Ａ）またはこれらの両方を前記アノード側で使用するステップであって、前記第２電解液（Ｅ２）または前記アノード液（Ａ）またはこれらの両方が、非酸化性酸またはこれらのアルカリ金属塩またはこれらの混合物を含む、ステップ
を含むことを特徴とする、請求項１〜１１のいずれか一項に記載の方法。
【請求項１３】
さらに、
ｆ）ステップ（ｂ）の最中またはその後に、前記生成物（Ｐ）を、塩酸水溶液の形態で取り出すステップ
を含むことを特徴とする、請求項１〜１２のいずれか一項に記載の方法。
【請求項１４】
さらに、
ｇ）前記生成物（Ｐ）を用いて、塩水を淡水化プロセス用に状態調整するステップ
を含むことを特徴とする、請求項１〜１３のいずれか一項に記載の方法。
【請求項１５】
請求項１〜１４のいずれか一項に記載の方法により製造された生成物（Ｐ）。
【請求項１６】
塩水を淡水化プロセス用に状態調整するために使用することができることを特徴とする、請求項１５に記載の生成物。
【請求項１７】
塩水を淡水化プロセス用に状態調整するための、請求項１〜１４のいずれか一項に記載の方法により製造された前記生成物（Ｐ）の使用方法。
【請求項１８】
請求項１〜１４のいずれか一項に記載の方法を実施するための電気透析システム（１）であって、前記電気透析システム（１）が、少なくとも、
・電気透析セル（２）であって、
・陰イオン交換膜（１８）、
・陽イオン交換膜（２０）、
・カソード（２２）、および
・アノード（２４）
を備える前記電気透析セル（２）と、
・前記カソード液（Ｋ）または前記第１電解液（Ｅ１）またはこれらの両方のための貯留槽（４）と、
・反応槽（６）と
を備える、電気透析システム（１）。
【請求項１９】
前記電気透析セル（２）が、３室、すなわち、
・前記カソード（２２）を収容するカソード空間（１２）、
・中間室の形態で実装された生成物空間（１４）、および
・前記アノード（２４）を収容するアノード空間（１６）
を備えることを特徴とする、請求項１８に記載の電気透析システム。
【請求項２０】
前記電気透析システム（１）が、前記アノード液（Ａ）または前記第２電解液（Ｅ２）またはこれらの両方のための貯留槽（８）をさらに備えることを特徴とする、請求項１８または１９に記載の電気透析システム。
【請求項２１】
前記電気透析システム（１）が、
・前記生成物（Ｐ）用の貯留槽（１０）
をさらに備えることを特徴とする、請求項１８〜２０のいずれか一項に記載の電気透析システム。
【請求項２２】
前記カソード液（Ｋ）または前記第１電解液（Ｅ１）またはこれらの両方のための前記貯留槽（４）、および、前記アノード液（Ａ）または前記第２電解液（Ｅ２）またはこれらの両方のための貯留槽（８）の少なくとも一方が、気体を排出するための少なくとも１つの手段を備えることを特徴とする、請求項１８〜２１のいずれか一項に記載の電気透析システム。
【手続補正２】
【補正対象書類名】明細書
【補正対象項目名】００７４
【補正方法】変更
【補正の内容】
【００７４】
上に説明した実施例に加えて、本発明はさらなる設計による手法が可能である。
したがって、カソード液Ｋ用貯留槽４は、これと同時に、ステップ（ｃ）の処理方法のプロセス水ＰＷ用貯留槽として使用することができる（詳述せず）。こうすることにより、貯留槽の数を有利に減らすことができる。
前記実施の形態から把握できる技術的思想を以下に示す。
（付記１）
未処理の塩水（ＲＷ）を使用することによって塩化水素（ＨＣｌ）またはその水溶液を製造する方法であって、
ａ）塩化物イオン（Ｃｌ−）を含む第１電解液（Ｅ１）を提供するステップと、
ｂ）電気透析を実施するステップであって、
前記第１電解液（Ｅ１）が、結果としてカソード液（Ｋ）を生成するカソード還元に付され、
前記第１電解液（Ｅ１）の塩化物イオン（Ｃｌ−）濃度が低下し、
前記第１電解液（Ｅ１）の水酸化物イオン（ＯＨ−）濃度が上昇し、かつ
塩化水素（ＨＣｌ）またはその水溶液の形態で生成物（Ｐ）が生成する、ステップと、ｃ）前記カソード液（Ｋ）の少なくとも一部を処理するステップであって、
その結果として前記第１電解液（Ｅ１）が生成し、
未処理の塩水（ＲＷ）が使用され、
前記カソード液（Ｋ）の塩化物イオン（Ｃｌ−）濃度が上昇し、かつ
前記カソード液（Ｋ）の水酸化物イオン（ＯＨ−）濃度が低下する、ステップと、
ｄ）ステップ（ｃ）に従い処理された前記カソード液（Ｋ）の少なくとも一部を前記第１電解液（Ｅ１）としてステップ（ｂ）で再使用するステップと
を含む、方法。
（付記２）
前記未処理の塩水（ＲＷ）が、天然または合成の塩水、好ましくは、海水、汽水、地下水、湧水、天然もしくは合成の塩水、またはこれらの混合物であることを特徴とする、付記１に記載の方法。
（付記３）
前記未処理の塩水（ＲＷ）の塩類濃度、特にアルカリ金属塩化物の濃度が、飽和まで、好ましくは０．４〜２５重量％、より好ましくは２〜１０重量％、特に２．８〜４．６重量％の範囲にあることを特徴とする、付記１または２に記載の方法。
（付記４）
ステップ（ａ）において、前記第１電解液（Ｅ１）が、前記未処理の塩水（ＲＷ）から製造されることを特徴とする、付記１〜３のいずれか一項に記載の方法。
（付記５）
ステップ（ｃ）に従う前記カソード液（Ｋ）または前記第１電解液（Ｅ１）またはこれらの両方の処理が、回分式または連続式で実施されることを特徴とする、付記１〜４のいずれか一項に記載の方法。
（付記６）
前記電気透析が、電気透析セル（２）内で実施され、
前記電気透析セル（２）が、３室、すなわちカソード（２２）を収容するカソード空間（１２）、中間室の形態で実装された生成物空間（１４）、およびアノード（２４）を収容するアノード空間（１６）を備えることを特徴とする、付記１〜５のいずれか一項に記載の方法。
（付記７）
前記第１電解液（Ｅ１）または前記カソード液（Ｋ）またはこれらの両方が、少なくともステップ（ｂ）の最中に、前記電気透析セル（２）の前記カソード空間（１２）を通って前記カソード液（Ｋ）または第１電解液（Ｅ１）またはこれらの両方のための貯留槽（４）を経由して循環することを特徴とする、付記１〜６のいずれか一項に記載の方法。
（付記８）
前記第１電解液（Ｅ１）または前記カソード液（Ｋ）またはこれらの両方が、ステップ（ａ）〜（ｄ）の少なくとも１つの最中に、温度調節、特に冷却されることを特徴とする、付記１〜７のいずれか一項に記載の方法。
（付記９）
前記第１電解液（Ｅ１）または前記カソード液（Ｋ）またはこれらの両方が、ステップ（ａ）〜（ｄ）の少なくとも１つの最中に、気体、特に水素ガス（Ｈ２）を発生することを特徴とする、付記１〜８のいずれか一項に記載の方法。
（付記１０）
前記第１電解液（Ｅ１）の塩化物イオン（Ｃｌ−）濃度および前記カソード液（Ｋ）の塩化物イオン（Ｃｌ−）濃度の少なくとも一方が、ステップ（ａ）における前記第１電解液（Ｅ１）の塩化物イオン（Ｃｌ−）濃度の３０〜７０％、好ましくは３３〜５０％、特に３７〜４３％の範囲の濃度になったら直ちにステップ（ｃ）が実施されることを特徴とする、付記１〜９のいずれか一項に記載の方法。
（付記１１）
ステップ（ｂ）の最中に、セル電圧が４〜９、好ましくは５〜７Ｖの範囲にあること、および、セル電流密度が５００〜３，０００、好ましくは１，０００〜２，０００Ａ／ｍ２の範囲にあること、の少なくとも一方であることを特徴とする、付記１〜１０のいずれか一項に記載の方法。
（付記１２）
さらに、
ｅ）ステップ（ｂ）の最中に、第２電解液（Ｅ２）またはアノード液（Ａ）またはこれらの両方を前記アノード側で使用するステップであって、前記第２電解液（Ｅ２）または前記アノード液（Ａ）またはこれらの両方が、非酸化性酸、好ましくは硫酸（Ｈ２ＳＯ４）、硝酸（ＨＮＯ３）、もしくはリン酸（Ｈ３ＰＯ４）、またはこれらのアルカリ金属塩、好ましくは硫酸ナトリウム（Ｎａ２ＳＯ４）、硝酸ナトリウム（ＮａＮＯ３）、もしくはリン酸ナトリウム（Ｎａ３ＰＯ４）、またはこれらの混合物を含む、ステップ
を含むことを特徴とする、付記１〜１１のいずれか一項に記載の方法。
（付記１３）
さらに、
ｆ）ステップ（ｂ）の最中またはその後に、前記生成物（Ｐ）を、塩酸水溶液の形態で、好ましくは前記電気透析セル（２）の前記生成物空間（１４）から取り出すステップ
を含むことを特徴とする、付記１〜１２のいずれか一項に記載の方法。
（付記１４）
さらに、
ｇ）前記生成物（Ｐ）を用いて、塩水、特に、前記未処理の塩水（ＲＷ）を淡水化プロセス用に状態調整するステップ
を含むことを特徴とする、付記１〜１３のいずれか一項に記載の方法。
（付記１５）
付記１〜１４のいずれか一項に記載の方法により製造された生成物（Ｐ）、好ましくは塩化水素（ＨＣｌ）またはその水溶液。
（付記１６）
塩水、特に前記未処理の塩水（ＲＷ）を淡水化プロセス用に状態調整するために使用することができることを特徴とする、付記１５に記載の生成物。
（付記１７）
塩水、特に前記未処理の塩水（ＲＷ）を淡水化プロセス用に状態調整するための、前記生成物（Ｐ）、好ましくは塩化水素（ＨＣｌ）またはその水溶液、特に付記１〜１４のいずれか一項に記載の方法により製造されたものの使用方法。
（付記１８）
好ましくは付記１５または１６に記載の前記生成物（Ｐ）を製造するために、好ましくは付記１〜１４のいずれか一項に記載の方法を実施するための電気透析システム（１）であって、前記電気透析システム（１）が、少なくとも、
・前記電気透析セル（２）であって、
・陰イオン交換膜（１８）、
・陽イオン交換膜（２０）、
・カソード（２２）、および
・アノード（２４）
を備える前記電気透析セル（２）と、
・前記カソード液（Ｋ）または前記第１電解液（Ｅ１）またはこれらの両方のための前記貯留槽（４）と、
・反応槽（６）であって、好ましくはステップ（ｃ）を実施するための反応槽（６）と
を備える、電気透析システム（１）。
（付記１９）
前記電気透析セル（２）が、３室、すなわち、
・前記カソード（２２）を収容するカソード空間（１２）、
・中間室の形態で実装された生成物空間（１４）、および
・前記アノード（２４）を収容するアノード空間（１６）
を備えることを特徴とする、付記１８に記載の電気透析システム。
（付記２０）
前記電気透析システム（１）が、前記アノード液（Ａ）または前記第２電解液（Ｅ２）またはこれらの両方のための貯留槽（８）をさらに備えることを特徴とする、付記１８または１９に記載の電気透析システム。
（付記２１）
前記電気透析システム（１）が、
・前記生成物（Ｐ）用の貯留槽（１０）
をさらに備えることを特徴とする、付記１８〜２０のいずれか一項に記載の電気透析システム。
（付記２２）
前記カソード液（Ｋ）または前記第１電解液（Ｅ１）またはこれらの両方のための前記貯留槽（４）、および、前記アノード液（Ａ）または前記第２電解液（Ｅ２）またはこれらの両方のための前記貯留槽（８）の少なくとも一方が、気体、特に水素ガス（Ｈ２）または酸素ガス（Ｏ２）またはこれらの両方を排出するための少なくとも１つの手段を備えることを特徴とする、付記１８〜２１のいずれか一項に記載の電気透析システム。